(57)【要約】      （修正有）【課題】連結部の折り曲げのため切り替えが簡単に行え、バングル使用時の装着安定性が確保でき、かつデザイン性に優れる連結部の係止機構を提供する。【解決手段】バングルを半割り状態で折り曲げ可能となるように軸着連結してなる二つ割バングルに適用する連結部の係止機構であって、一方の半割りバングル体の連結部近傍に起伏動自在となる留め金具７を軸着し、他方の半割りバングル体の連結部近傍の外周壁に小突起１０を突設し、前記留め金具における起伏動時の先端側位置に引き起こし突片及び二股挟持部を取り付け、この二股挟持部の少なくとも一方の内壁に、前記小突起を受け入れ保持できる嵌合受け入れ部１３を形成し、前記留め金具の側部には、半割りバングル体の折り曲げを規制することができる規制板１４を取り付け、前記半割りバングル体の軸着連結部の軸の延伸方向と、留め金具の軸着部の軸の延伸方向とを直交する方向にセットした。【選択図】図５
0003165532.tif 000002
【実用新案登録請求の範囲】
【請求項１】
バングルを半割り状態で折り曲げ可能となるように軸着連結してなる二つ割バングルに適用する連結部の係止機構であって、一方の半割りバングル体の連結部近傍に起伏動自在となる留め金具を軸着し、他方の半割りバングル体の連結部近傍の外周壁に小突起を突設し、前記留め金具における起伏動時の先端側位置に引き起こし突片及び二股挟持部を取り付け、この二股挟持部の少なくとも一方の内壁に、前記小突起を受け入れ保持できる嵌合受け入れ部を形成し、前記留め金具の側部には、半割りバングル体の折り曲げを規制することができる規制板を取り付け、前記半割りバングル体の軸着連結部の軸の延伸方向と、留め金具の軸着部の軸の延伸方向とを直交する方向にセットしたことを特徴とする二つ割バングルに適用する連結部の係止機構。
【請求項２】
留め金具を軸着しない側の半割りバングル体の連結部近傍付近に、留め金具の二股挟持部の内壁を外方に向かって押圧可能となる金属板バネを備えたことを特徴とする請求項１記載の二つ割バングルに適用する連結部の係止機構。
【考案の詳細な説明】
【技術分野】
【０００１】
本考案は、二つ割バングルに適用する連結部の係止機構に関し、さらに詳しくは貴金属製のバングル（飾り用腕輪）を半割りにして連結してなる二つ割バングルにおいて、バングルの連結部を折り曲げ自在に構成し、その連結部を折り曲げ可能状態にしたり、あるいは折り曲げを阻止する状態にしたりする切り替えを可能とする連結部の係止機構に関する。
【背景技術】
【０００２】
従来より、バングルは男女を問わず愛好者によって手首に装着されて使用されてきた商品であり、その全体形状は略楕円形のリング状を呈するように仕上げられている。
このバングルの素材には各種の貴金属製のものが使用され、多くはプラチナ、金、銀などが用いられ、またバングルの外周面に宝石（ダイヤモンドなど）をちりばめるなどして装飾効果を高めたものもある。
【０００３】
このバングルは、使用者の手首付近に装着して使用されるものであるが、その装着や取り外し操作の容易さの観点から、バングルを半割り状態に形成し、バングルの連結部を折り曲げ自在となるように構成したものが多い。
このようにバングルの連結部を折り曲げ自在に構成することで、バングルの連結部を折り曲げてバングルを開いた状態でバングルを手首にあてがい、ついでバングルの連結部を元の状態に戻すことで、手首からバングルが外れないように係止するものである。
【先行技術文献】
【特許文献】
【０００４】
【特許文献１】特開２００２−４５２２０号公報
【特許文献２】特開２００３−２６５２０９号公報
【考案の概要】
【考案が解決しようとする課題】
【０００５】
ところで上記のような二つ割バングルにおいて、バングルの連結部を折り曲げたり伸ばしたりしてバングルの手首への装着や取り外しを行うには、バングル連結部に、その連結部を係止するための係止機構が必要になる。
【０００６】
この連結部の係止機構は、連結部を伸ばした状態時では、その連結部を安定的に伸ばした状態に維持し、連結部を折り曲げようとする際には、連結部を伸ばした状態から、折り曲げ可能な状態に切り替えられる必要がある。
従来から、連結部の折り曲げのため切り替えが簡単に行え、バングル使用時の装着安定性が確保でき、かつデザイン性に優れる連結部の係止機構の出現が望まれてきた。
本考案は、上記の問題を解決できる二つ割バングルに適用する連結部の係止機構を提供せんとするものである。
【課題を解決するための手段】
【０００７】
前記課題を解決するために、請求項１に記載の考案は、バングルを半割り状態で折り曲げ可能となるように軸着連結してなる二つ割バングルに適用する連結部の係止機構であって、一方の半割りバングル体の連結部近傍に起伏動自在となる留め金具を軸着し、他方の半割りバングル体の連結部近傍の外周壁に小突起を突設し、前記留め金具における起伏動時の先端側位置に引き起こし突片及び二股挟持部を取り付け、この二股挟持部の少なくとも一方の内壁に、前記小突起を受け入れ保持できる嵌合受け入れ部を形成し、前記留め金具の側部には、半割りバングル体の折り曲げを規制することができる規制板を取り付け、前記半割りバングル体の軸着連結部の軸の延伸方向と、留め金具の軸着部の軸の延伸方向とを直交する方向にセットしたことを特徴とする二つ割バングルに適用する連結部の係止機構である。
【０００８】
請求項２に記載の考案は、留め金具を軸着しない側の半割りバングル体の連結部近傍付近に、留め金具の二股挟持部の内壁を外方に向かって押圧可能となる金属板バネを備えたことを特徴とする請求項１記載の二つ割バングルに適用する連結部の係止機構である。
【考案の効果】
【０００９】
上記した請求項１に係る二つ割バングルに適用する連結部の係止機構は、バングルの連結部を折り曲げたり、伸ばしたりする際には、留め金具を起伏動させ、それに伴いバングルの連結部を折り曲げたり、伸ばしたりするだけで、簡単にバングルの折り曲げの切り替えが可能となり、一旦装着されたときには、留め金具の折り曲げ阻止効果は確実に確保ざれ、かつ全体のデザイン性にも優れるなどの効果を発揮する。
【００１０】
また請求項２は、留め金具を軸着しない側の半割りバングル体の連結部近傍付近に、留め金具の二股挟持部の内壁を外方に向かって押圧可能となる金属板バネを備えたので、留め金具とバングルとの係止効果が一層向上し、留め金具の折り曲げ阻止効果はさらに確実になるなどの効果を発揮する。
【図面の簡単な説明】
【００１１】
【図１】バングルの連結部を折り曲げて、バングルを開いた状態とした斜視図である。
【図２】バングルの連結部を伸ばして、バングルを閉じた状態とした斜視図である(留め金具を起こした状態)。
【図３】バングルの連結部を伸ばして、バングルを閉じた状態とした斜視図である(留め金具を伏せた状態)。
【図４】バングルの連結部の拡大斜視図である(留め金具を伏せた状態)。
【図５】前図のＡ−Ａ線断面図である。
【考案を実施するための形態】
【００１２】
以下添付図面に基づいて、本考案連結部の係止機構の一実施の形態を詳説するが、本考案はこれらの実施の形態に制限されるものではない。
図１に示すバングル１は、半割り状の適宜の素材で形成され半割りバングル体２,３を連結して構成されている。
このバングル１の連結部４は折り曲げ軸５を延伸方向６とした状態で軸着されている。
【００１３】
ついで一方の半割りバングル体２の連結部４の近傍に、留め金具７が回動軸８を介して起伏動自在となるように軸着されている。符号９は、回動軸８の延伸方向を示している。
なお上記した折り曲げ軸５や回動軸８は、各軸の延長方向６,９を中心として転動自在に構成されていればよく、各軸の先端部が取り付け位置で支持されている部材を貫通した状態になっていなくともよい。そのため、図示した説明では、各軸の先端部が図面に表示されているが、その先端部が図面に表示されない状態であってもかまわない。
【００１４】
つぎに、他方の半割りバングル体３の連結部４近傍の外周壁には、外方に向かって飛び出た状態の小突起１０が突設される。
さらに前記留め金具７における起伏動時の先端側位置には、留め金具７を引き起こすために指先をかけることができる引き起こし突片１１と、二股挟持部１２とが設けられている。
【００１５】
この二股挟持部１２の少なくとも一方の内壁には、前記小突起１０を受け入れ保持できる嵌合受け入れ部１３が形成されている。したがって、留め金具７を伏せて、二股挟持部１２を他方の半割りバングル体３の外周壁に被せるようにすると、小突起１０が嵌合受け入れ部１３に受け入れられるように納まり、半割りバングル体３と二股挟持部１２との嵌合保持状態が完成する。
【００１６】
ついで前記留め金具７の側部には、半割りバングル体２，３の折り曲げを規制することができる規制板１４(図では、一対の例を示した)が取り付けられているため、この規制板１４が連結部４に当接している状態時では、バングル１の折り曲げが規制されるようになる。
【００１７】
バングル１の折り曲げが規制されることで、バングル１の手首への装着状態は安定し、使用者の手首からバングル１が不用意に外れることは無い。
【００１８】
またバングル１を手首から外す場合には、まず留め金具７の引き起こし突片１１に指先をかけて上方に引くことで、留め金具７は回動軸８を中心に引き起こされ、それに伴い規制板１４が連結部４から離れることになる。
規制板１４が連結部４から離れることで、連結部４は折り曲げ軸５を中心に折り曲げ可能な状態となる。
【００１９】
ここで折り曲げ軸５の延伸方向６と、回動軸８の延伸方向９とが直交するようにセットされているため、留め金具７を起伏動の方向とバングル１の折り曲げの方向も直交状態となり、留め金具７とバングル１の係止効果の確実性と、係止状態解除時のバングル１の折り曲げ操作性が向上することとなる。
【００２０】
つぎに本考案では、留め金具７を軸着しない側の半割りバングル体３の連結部４の近傍付近に、留め金具７の二股挟持部１２の内壁を外方に向かって押圧可能な金属板バネ１５を備えるようにすると、留め金具７の二股挟持部１２が連結部４に被されているときは、この金属板バネ１５の存在により二股挟持部１２と半割りバングル体３の連結部側の端部との嵌合状態が一層向上することになり、結果として留め金具７とバングル１の係止効果の確実性が向上する。
【産業上の利用可能性】
【００２１】
本考案の二つ割バングルに適用する連結部の係止機構は、バングルを製造する現場、さらにはバングルを使用する現場で利用することが可能であり、その利用範囲は大変広いものとなる。
【符号の説明】
【００２２】
１  …バングル
２、３  …半割りバングル体
４  …バングルの連結部
５  …連結部の折り曲げ軸
６  …折り曲げ軸の延伸方向
７  …留め金具
８  …留め金具の回動軸
９  …回動軸の延伸方向
１０  …小突起
１１  …引き起こし突片
１２  …二股挟持部
１３  …二股挟持部の嵌合受け入れ部
１４  …規制板
１５  …金属板バネ
【図１】
0003165532.tif 000003
【図２】
0003165532.tif 000004
【図３】
0003165532.tif 000005
【図４】
0003165532.tif 000006
【図５】
0003165532.tif 000007